(57)【特許請求の範囲】
【請求項１】
送信ポイントによってユーザ端末（ＵＥ）に参照信号を送信する方法であって、
前記参照信号に対する参照信号シーケンスの第１初期化値及び第２初期化値の各々を生成又は変更するために必要な第１初期化値生成情報及び第２初期化値生成情報を、上位階層シグナリングを介して前記ユーザ端末に送信し、
前記第１初期化値生成情報による前記第１初期化値、及び前記第２初期化値生成情報による前記第２初期化値のうちの１つを選択するために必要な選択指示情報を前記ユーザ端末に送信し、
前記選択指示情報によって選択された前記第１初期化値又は前記第２初期化値に基づく前記参照信号を生成し、生成された前記参照信号を前記ユーザ端末に送信し、
前記選択指示情報は、ダウンリンク制御情報（ＤＣＩ）に含まれるスクランブリングコード識別子（ＳＣＩＤ（ｎＳＣＩＤ））情報に対応することを特徴とする参照信号送信方法。
【請求項２】
前記ＳＣＩＤ（ｎＳＣＩＤ）情報は、アンテナポート、スクランブリング識別子、及びレイヤ数を表す３ビット情報に含まれるＳＣＩＤ値に対応することを特徴とする請求項１に記載の参照信号送信方法。
【請求項３】
前記第１初期化値生成情報及び前記第２初期化値生成情報が送信されるときに介する前記上位階層シグナリングは、ラジオリソース制御（ＲＲＣ）信号に対応することを特徴とする請求項１に記載の参照信号送信方法。
【請求項４】
ユーザ端末（ＵＥ）に参照信号を送信する装置であって、
第１初期化値生成情報による第１初期化値、及び第２初期化値生成情報による第２初期化値のうちの１つを選択するための選択指示情報を生成する選択指示情報生成部と、
前記参照信号に対する参照信号シーケンスの前記第１初期化値及び前記第２初期化値の各々を生成又は変更するために必要な前記第１初期化値生成情報及び前記第２初期化値生成情報を生成する初期化値生成情報処理部と、
前記選択指示情報に従ってダウンリンク参照信号を生成する参照信号生成部と、
前記選択指示情報、上位階層シグナリングを介する前記第１初期化値生成情報及び前記第２初期化値生成情報、及び生成された前記参照信号を前記ユーザ端末に送信する送信部と、を含み、
前記選択指示情報は、ダウンリンク制御情報（ＤＣＩ）に含まれるスクランブリングコード識別子（ＳＣＩＤ（ｎＳＣＩＤ））情報に対応することを特徴とする参照信号送信装置。
【請求項５】
前記ＳＣＩＤ（ｎＳＣＩＤ）情報は、アンテナポート、スクランブリング識別子、及びレイヤ数を表す３ビット情報に含まれるＳＣＩＤ値に対応することを特徴とする請求項４に記載の参照信号送信装置。
【請求項６】
前記第１初期化値生成情報及び前記第２初期化値生成情報が送信されるときに介する前記上位階層シグナリングは、ラジオリソース制御（ＲＲＣ）信号に対応することを特徴とする請求項４に記載の参照信号送信装置。
【請求項７】
チャネル状態を推定する装置であって、
参照信号を受信する参照信号受信部と、
前記参照信号に対する参照信号シーケンスの第１初期化値及び第２初期化値の各々を生成又は変更するために必要な第１初期化値生成情報及び第２初期化値生成情報を、上位階層シグナリングを介して受信する初期化値生成情報受信部と、
前記第１初期化値生成情報による前記第１初期化値、及び前記第２初期化値生成情報による前記第２初期化値のうちの１つを選択するために必要な選択指示情報を受信する選択指示情報受信部と、
受信された前記第１初期化値生成情報及び前記第２初期化値生成情報を使用し、前記選択指示情報によって指示された初期化値に基づく参照信号を生成する参照信号生成部と、
生成された前記参照信号と受信された前記参照信号とを比較することでチャネル状態を推定するチャネル推定部と、を含み、
前記選択指示情報は、ダウンリンク制御情報（ＤＣＩ）に含まれるスクランブリングコード識別子（ＳＣＩＤ（ｎＳＣＩＤ））情報に対応することを特徴とするチャネル状態推定装置。
【請求項８】
前記ＳＣＩＤ（ｎＳＣＩＤ）情報は、アンテナポート、スクランブリング識別子、及びレイヤ数を表す３ビット情報に含まれるＳＣＩＤ値に対応することを特徴とする請求項７に記載のチャネル状態推定装置。
【請求項９】
前記第１初期化値生成情報及び前記第２初期化値生成情報が受信されるときに介する前記上位階層シグナリングは、ラジオリソース制御（ＲＲＣ）信号に対応することを特徴とする請求項７に記載のチャネル状態推定装置。
【発明の詳細な説明】
【技術分野】
【０００１】
本発明は無線通信システム及び方法に関し、より詳しくは、無線通信システムにおける参照信号（Reference Signal）送信方法と装置、及びそれを用いたチャンネル推定方法及び装置に関する。
【背景技術】
【０００２】
通信システムが発展するにつれて、事業体及び個人などの消費者は非常に多様な無線端末機を使用するようになった。
【０００３】
現在の移動通信システムでは、音声中心のサービスを外れて、映像、無線データなどの多様なデータを送受信することができる高速大容量の通信システムとして、有線通信ネットワークに準ずる大容量データを送信できる技術開発が要求されているだけでなく、情報損失の減少を最小化し、システム送信効率を上げることによってシステム性能を向上させることができる適切なエラー検出方式が必須な要素となる。
【０００４】
また、現在の多くの通信システムではアップリンクまたはダウンリンクを通じて通信環境などに対する情報を同等の装置に提供するためにさまざまな参照信号が使われている。
【０００５】
また、無線通信システムの性能と通信容量を高めるために、多重セル（または、ポイント）協調が導入されている。多重セル（または、多重ポイント）協調は協調多重ポイント送受信ＣｏＭＰ（cooperative multiple point transmission and reception）ともいう。ＣｏＭＰには隣接するセル（または、ポイント）が協調してセル（または、ポイント）境界のユーザに引き起こされる干渉を緩和するビーム回避手法と隣接するセルが協調して同一なデータを送信するジョイント送信（joint transmission）手法などがある。
【０００６】
ＩＥＥＥ（Institute of Electrical and Electronics Engineers）８０２．１６ｍ、３ＧＰＰ（3rd Generation Partnership Project）、又はＬＴＥ（long term evolution）-Advancedのような次世代の無線通信システムにおいて、セル境界に位置して隣接セルから激しい干渉を受けるユーザの性能を改善することが主要な要求事項の１つとして認識されている。
【発明の概要】
【発明が解決しようとする課題】
【０００７】
本発明の目的は、参照信号生成方法及びそのための信号シグナリング方法を提供することにある。
【０００８】
さらに、発明の特徴は、以下の説明に記載され、その説明によって明確になり、その発明の実施によって理解されるであろう。
【課題を解決するための手段】
【０００９】
上記の目的を達成するために、本発明の一実施形態は、端末と連動する送信ポイントによって端末に参照信号を送信する方法であって、第１初期化値及び第２初期化値のうちの１つを選択し、選択された初期化値に対応する選択指示情報を生成し、選択指示情報を端末に送信し、選択された初期化値に基づいて参照信号を生成し、生成された参照信号を端末に送信することを含むことを特徴とする参照信号送信方法を提供する。
【００１０】
本発明の他の実施形態は、送信ポイントと連動する端末によるチャネル推定方法であって、第１初期化値及び第２初期化値のうち少なくとも１つの選択を指示する選択指示情報を受信し、送信ポイントから選択指示情報に基づいて第１参照信号を受信し、初期化値生成情報を用いた選択指示情報によって選択されたことを指示された初期化値に基づいて第２参照信号を生成し、第１参照信号を第２参照信号と比較してチャネル状態を推定することを含むことを特徴とするチャネル推定方法を提供する。
【００１１】
本発明の他の実施形態は、端末と連動して参照信号を送信する装置であって、第１初期化値及び第２初期化値の少なくとも１つの選択を指示するために選択指示情報を生成する選択指示情報生成部と、選択指示情報に従ってダウンリンク参照信号を生成する参照信号生成部と、選択指示情報及び生成された参照信号を多くの端末に送信する送信部と、を含む参照信号送信装置を提供する。
【００１２】
本発明の他の実施形態は、送信ポイントと連携してチャネル状態を推定する装置であって、送信ポイントから参照信号を受信する参照信号受信部と、送信ポイントから、第１参照信号の第１初期化値及び第２初期化値のうち少なくとも１つの選択を指示する選択指示情報を受信する選択指示情報受信部と、選択指示情報及び初期化値生成情報に基づいて第２参照信号を生成する参照信号生成部と、第１参照信号を第２参照信号と比較し、比較に基づいてチャネル状態を推定するチャネル推定部と、を含むチャンネル状態推定装置を提供する。
【００１３】
前述の一般的な説明及び以下の詳細な説明はいずれも典型的、説明的であり、請求される発明のさらなる説明を提供する。その他の特徴及び形態は以下の詳細な説明、図面及び請求の範囲から明らかになる。
【００１４】
添付の図面は、発明のさらなる理解を提供するために含まれ、本明細書に組み込まれて一部を構成し、本発明の実施形態を説明し、本発明の原理を説明するために記述と共に供給される。
【図面の簡単な説明】
【００１５】
【図１】本発明が適用される無線通信システムを示すブロック図である。
【図２】本発明の一実施形態によるＣｏＭＰ協調集合（CoMP set）を成しているマクロセル及びＲＲＨ、上記セル及びＲＲＨと送受信するＵＥの例を図示している。
【図３】本発明の一実施形態による各送信ポイント（ＴＰ）から多数の端末への参照信号の送信を促進する環境を図示している。
【図４】本発明の一実施形態による参照信号送信方法のフローチャートである。
【図５】本発明の一実施形態によるＴＰの参照信号送信方法のフローチャートである。
【図６】本発明の一実施形態による端末のチャンネル推定方法のローチャートである。
【図７】本発明の一実施形態による参照信号及び参照信号生成と関連した情報の生成及び送信する装置の内部構成図である。
【図８】本発明の一実施形態によるチャンネル推定装置の内部構成図である。
【発明を実施するための形態】
【００１６】
以下、添付された図面を参考に、本発明のいくつかの実施例について、更に十分に詳細に説明する。しかし、本発明は、いくつかの異なる形態での具現が可能であり、ここで説明する実施例に限定されない。むしろ、これらの実施形態は、本発明の開示が完全になるように完全に提供されたものであって、本発明の属する技術分野における通常の知識を有する者に本発明の開示範囲を十分に示すであろう。「Ｘ、Ｙ及びＺのうち少なくとも一つ」という語句は、Ｘのみ、Ｙのみ、Ｚのみ或いはＸ、Ｙ及びＺから選択された２つ以上の要素の任意の組み合わせ（例えば、ＸＹＺ、ＸＺ、ＹＺ、ＸＹ等）を意味する。図面及び詳細な説明において、他に記載が無い限り、同じ数字の参照符号は、同じ要素、特徴及び構造を示す。これらの要素の相対的なサイズ及び描写は、明確さ、説明及び便宜のために誇張されることがある。
【００１７】
ここで使用される技術用語は、特定の実施形態を説明する目的のみであって、本願の発明の開示を限定するものでは無い。本願明細書に記載されるように、単数形「ａ」及び「ａｎ」、と「ｔｈｅ」は、文脈の前後関係から明らかに他のことを示さない限り、複数形も含むことが意図されている。更に、ａ、ａｎ等の用語は、量の限定を意味するものでは無く、むしろ、その付されたものの少なくとも一つの存在を意味する。更に、「第１」、「第２」等の用語の使用は、特定の順番を示すものでは無く、個々の要素を区別するために付け加えられる。更に、第１、第２等の用語の使用は、何らかの順番や重要性を示すのでは無く、むしろ、１つの要素を他の要素から区別するために使用される。また、本明細書で用いるところでは、用語「含む（ｃｏｍｐｒｉｓｅｓ）」及び／又は「含む（ｃｏｍｐｒｉｓｉｎｇ）」若しくは「包含する（ｉｎｃｌｕｄｅｓ）」及び／又は「を含む（ｉｎｃｌｕｄｉｎｇ）」は、言及された特徴、領域、整数、ステップ、操作、要素、及び／又は成分を具体的に記載するが、これらの用語は、一つ以上の他の特徴、領域、整数、ステップ、操作、要素、成分及び又はその群を排除しないことが理解されるであろう。幾つかの特徴は個々の実施形態に関して記載されることがあるが、１以上の実施形態の特徴が１以上の実施形態の他の特徴と組み合わせられるように、前記特徴はそのような実施形態に限定されない。
【００１８】
図１は、本発明が適用される無線通信システムを示すブロック図である。
【００１９】
図１を参照すると、無線通信システム１０は、音声、パケットデータなどのような多様な通信サービスを提供するために広く配置される。無線通信システム１０は、少なくとも１つの基地局１１（Base Station：ＢＳ）を含む。各基地局１１は、特定の地理的領域または周波数領域に対して通信サービスを提供し、サイト（site）と呼ばれる。サイトは、セクター（sector）と呼ばれる第１セル１５ａ、第２セル１５ｂ、及び第３セル１５ｃを含む多数の領域又はセルに分けることができ、上記セクター又はセルは各々互いに異なるセルＩＤを有することができる。
【００２０】
端末１２（mobile station：ＭＳ）またはユーザ機器（user equipment：ＵＥ）１２は、固定されてもよく、移動性を有してもよい。ＭＳ１２は、ＵＥのように、移動端末（mobile terminal：ＭＴ）、ユーザ端末（user terminal：ＵＴ）、受信契約者地点（subscriber station：ＳＳ）、無線機器（wireless device）、個人用デジタル補助装置（personal digital assistant：ＰＤＡ）、無線モデム（wireless modem）、携帯機器（handheld device）など、他の用語で呼ばれることがある。
【００２１】
基地局１１は、一般的に、端末１２と通信する地点（station）をいい、無線基地局（evolved-NodeB：ｅＮｏｄｅＢ）、ベーストランシーバシステム（Base Transceiver System：ＢＴＳ）、アクセスポイント（Access Point）、フェムト無線基地局（Femto eNodeB）、家の内無線基地局（Home eNodeB：ＨｅＮｏｄｅＢ）、リレー（relay）、遠隔無線ヘッド（Remote Radio Head：ＲＲＨ）など、他の用語で呼ばれることがある。第１セル１５ａ、第２セル１５ｂ、第３セル１５ｃは、基地局１１がカバーする一部領域を表す包括的な意味として解釈することができ、メガセル、マクロセル、マイクロセル、ピコセル、フェムトセルなど、多様なカバレッジ領域を全て包括する。
【００２２】
本明細書では、本発明により参照信号を端末との間で送受信する主体をｅＮｏｄｅＢに限定して記載するが、それに限定されるものではなく、通信方式の差異などによって異に表現されるか、均等な機能をする全ての信号送受信主体を全て含むように解釈されてもよい。
【００２３】
また、本明細書において、端末（または、ＵＥ）と基地局（または、ｅＮｏｄｅＢ）は、本明細書で記述される技術または技術的思想を具現することに使われる２つの送受信主体であって、包括的な意味として使われ、特定に称される用語または単語により限定されない。
【００２４】
以下、ダウンリンク（downlink）は基地局１１から端末１２への通信または通信経路を意味し、アップリンク（uplink）は端末１２から基地局１１への通信または通信経路を意味する。ダウンリンクで送信機は基地局１１の一部分であってもよく、受信機は端末１２の一部分であってもよい。アップリンクで送信機は端末１２の一部分であってもよく、受信機は基地局１１の一部分であってもよい。無線通信システム１０に適用される多重接続手法には制限がない。
【００２５】
例えば、多重接続手法は、特に限定はされず、ＣＤＭＡ（Code Division Multiple Access）、ＴＤＭＡ（Time Division Multiple Access）、ＦＤＭＡ（Frequency Division Multiple Access）、ＯＦＤＭＡ（Orthogonal Frequency Division Multiple Access）、ＳＣ−ＦＤＭＡ（Single Carrier-FDMA）、ＯＦＤＭ−ＦＤＭＡ、ＯＦＤＭ−ＴＤＭＡ、ＯＦＤＭ−ＣＤＭＡを含むことができる。これらの変調手法は、通信システムの多重ユーザから受信された信号を復調して通信システムの容量を増加させる。アップリンク送信及びダウンリンク送信は、互いに異なる時間を使用して送信されるＴＤＤ（Time Division Duplex）方式、または互いに異なる周波数を使用して送信されるＦＤＤ（Frequency Division Duplex）方式が使用できる。
【００２６】
無線通信システム１０は、ＣｏＭＰ（Coordinated Multi Point）システムであってもよい。ＣｏＭＰシステムは、ＣｏＭＰをサポートする通信システム、またはＣｏＭＰが適用される通信システムをいう。ＣｏＭＰは、多重送受信ポイント（multi transmission/reception（Tx/Rx）points）により送信または受信される信号を調整または組合する技術である。ＣｏＭＰは、データ送信率（throughput）を増加させ、高い品質を提供することができる。
【００２７】
送受信ポイントは、要素キャリア、またはセル、または基地局（マクロセル、ピコ無線基地局（Pico eNodeB）、フェムト無線基地局（Femto eNodeB）など）、または遠隔無線ヘッド（remote radio head：ＲＲＨ））のうちの少なくとも１つに定義できる。または、送受信ポイントはアンテナポート（antenna port）などの集合に定義できる。そして、送受信ポイントはアンテナポートの集合から無線リソース制御（radio resource control：ＲＲＣ）シグナリング（signaling）へ情報を送信することができる。したがって、１つのセル内に多数の送信ポイント（Transmission Point：ＴＰ）をアンテナポートの集合として定義することができる。上記アンテナポートの集合間の共通集合はいつも空集合（empty set）である。
【００２８】
各基地局またはセルは、多重送受信ポイントを構成することができる。例えば、多重送受信ポイントは同種ネットワーク（homogeneous）を形成するマクロ（Macro）セルであってもよい。また、多重送受信ポイントはマクロセルと高い送信パワーを有するＲＲＨであってもよい。また、多重送受信ポイントはマクロセルとマクロセル領域内の低い送信パワーを有するＲＲＨであってもよい。
【００２９】
ＣｏＭＰシステムは、ＣｏＭＰを選択的に適用することができる。ＣｏＭＰシステムがＣｏＭＰを用いて通信を実行するモードをＣｏＭＰモードといい、そうでないモードを一般モード（normal mode）または非ＣｏＭＰモード（non-CoMP mode）という。
【００３０】
端末１２はＣｏＭＰ端末であってもよい。ＣｏＭＰ端末はＣｏＭＰシステムを構成する要素であって、ＣｏＭＰ協調集合（CoMP Cooperating Set）と通信する。１つ以上のＣｏＭＰ端末もＣｏＭＰシステムと同様にＣｏＭＰモードで動作するか、または一般モードで動作することができる。そして、ＣｏＭＰ協調集合はＣｏＭＰ端末に対し、ある時間−周波数リソース（time - frequency resource）でデータ送信に直接／間接的に参加する送受信ポイントの集合である。
【００３１】
データ送信または受信に直接的に参加するということは、送受信ポイントが該当の時間−周波数リソースで実際にデータをＣｏＭＰ端末に送信するか、またはＣｏＭＰ端末から受信することを意味する。データ送信または受信に間接的に参加するということは、送受信ポイントが該当の時間−周波数リソースで実際にデータをＣｏＭＰ端末に送信又はＣｏＭＰ端末から受信しないが、ユーザスケジューリング（user scheduling）／ビームフォーミング（beamforming）に対する決定に寄与するということを意味する。
【００３２】
ＣｏＭＰ端末は、ＣｏＭＰ協調集合から同時に信号を受信するか、またはＣｏＭＰ協調集合に同時に信号を送信することができる。この際、ＣｏＭＰシステムはＣｏＭＰ協調集合を構成する各セルのチャンネル環境を考慮してＣｏＭＰ協調集合間の干渉の影響を最小化する。
【００３３】
ＣｏＭＰシステムの運用時、多様なシナリオが可能である。第１のＣｏＭＰシナリオは、１つの基地局内に多数のセルの間に同種ネットワーク（homogeneous）で構成されるＣｏＭＰであって、イントラ−サイト（intra-site）と呼ばれてもよい。第２のＣｏＭＰシナリオは、１つのマクロセル及び１つ以上の高電力（High-Power）ＲＲＨに対する同種ネットワークで構成されるＣｏＭＰである。第３のＣｏＭＰシナリオ及び第４のＣｏＭＰシナリオは、１つのマクロセル及びマクロセル領域内の１つ以上の低電力（low-power）ＲＲＨに対する異種ネットワーク（heterogeneous）で構成されるＣｏＭＰである。この際、ＲＲＨの物理的セルＩＤがマクロセルの物理的セルＩＤと同一でない場合は、第３のＣｏＭＰシナリオに該当し、同一な場合は第４のＣｏＭＰシナリオに該当する。
【００３４】
ＣｏＭＰのカテゴリ（category）には、ジョイントプロセシング（Joint Processing：ＪＰ；以下、‘ＪＰ’という）と協調スケジューリング／ビームフォーミング（Coordinated Scheduling/Beamforming：ＣＳ／ＣＢ；以下、‘ＣＳ／ＣＢ’という）があり、ＪＰとＣＳ／ＣＢとを混合することも可能である。
【００３５】
ＪＰの場合に、端末に対するデータはある時間−周波数リソースでＣｏＭＰ協調集合の少なくとも１つの送受信ポイントで利用可能である。ＪＰは、ジョイントトランスミッション（Joint transmission：ＪＴ；以下、‘ＪＴ’という）と動的送受信ポイント選択（Dynamic Point Selection：ＤＰＳ；以下、‘ＤＰＳ’という）を含む。
【００３６】
ＪＴは、時間−周波数リソースで１つの端末または複数の端末にＣｏＭＰ協調集合に属する多重送受信ポイントから同時にデータが送信されることをいう。ＪＴの場合に、１つの端末に対してデータを送信する多重セル（多重送受信ポイント）は、同一な時間／周波数リソースを用いて送信を実行する。
【００３７】
ＤＰＳの場合には、時間−周波数リソースでＣｏＭＰ協調集合の１つの送受信ポイントからデータが送信される。送受信ポイントは、干渉を考慮して１又は複数のサブフレームにおいて変わることができる。送信されるデータは、複数の送受信ポイントで同時に利用可能である。ＤＰＳは、動的セル選択（Dynamic Cell Selection：ＤＣＳ）を含む。
【００３８】
ＣＳの場合に、データは時間−周波数リソースに対してＣｏＭＰ協調集合内の１つの送受信ポイントから送信されるが、ユーザスケジューリングは該当ＣｏＭＰ協調集合のポイント間の協調（coordination）により決定される。
【００３９】
ＣＢの場合も該当ＣｏＭＰ協調集合の送受信ポイント間の協調により決定される。ＣＢにより隣接するセルと端末との間で発生する干渉を避けることができる。
【００４０】
上記ＣＳ／ＣＢは、送受信ポイントを半静的（semi-static）に選択して変更できるＳＳＰＳ（Semi-Static Point Selection）を含むことができる。
【００４１】
前述したように、ＪＰとＣＳ／ＣＢとを混合することも可能である。例えば、ＣｏＭＰ協調集合内の幾つかの送受信ポイントはＪＰに従ってターゲット端末にデータを送信し、ＣｏＭＰ協調集合内の他の送受信ポイントはＣＳ／ＣＢを実行することもできる。
【００４２】
本発明が適用される送受信ポイントは、基地局、セル、またはＲＲＨを含むことができる。特に、基地局及び／またはＲＲＨが送受信ポイントになることができる。一方、複数の基地局が多重送受信ポイントになることもでき、複数のＲＲＨが多重送受信ポイントになることもできる。勿論、本発明で説明される全ての基地局またはＲＲＨの動作は他の形態の送受信ポイントにも同一に適用できる。
【００４３】
一方、物理階層で使われる物理ダウンリンク制御チャンネル（physical downlink control channel：以下、ＰＤＣＣＨ）にマッピングされる物理階層の制御情報をダウンリンク制御情報（downlink control information：以下、‘ＤＣＩ’ともいう）という。特に、ＤＣＩはＰＤＣＣＨを介して送信される。ＤＣＩは、アップリンクまたはダウンリンクリソース割当フィールド、アップリンク送信電力制御命令フィールド、ページングのための制御フィールド、ランダムアクセス応答（RA response）を指示するための制御フィールドなどを含むことができる。
【００４４】
ＤＣＩは、そのフォーマットによって使用用途が異なり、ＤＣＩ内で定義されるフィールド（field）も異なる。＜表１＞はさまざまなフォーマットに従うＤＣＩを表す。
【００４５】
0005992530.tif 000002
【００４６】
＜表１＞を参照すると、ＤＣＩフォーマット０はアップリンクスケジューリング情報であり、１つのＰＤＳＣＨコードワードのスケジューリングのためのフォーマット１、１つのＰＤＳＣＨコードワードの簡単な（compact）スケジューリングのためのフォーマット１Ａ、ダウンリンクシェアチャンネル（Downlink Shared Channel：ＤＬ−ＳＣＨ）の非常に簡単なスケジューリングのためのフォーマット１Ｃ、閉ループ（Closed-loop）空間多重化（spatial multiplexing）モードでＰＤＳＣＨスケジューリングのためのフォーマット２、開ループ（Open-loop）空間多重化モードでＰＤＳＣＨスケジューリングのためのフォーマット２Ａ、アップリンクチャンネルのためのＴＰＣ（Transmission Power Control）命令の送信のためのフォーマット３及び３Ａなどがある。
【００４７】
ＤＣＩの各フィールドはｎ個の情報ビットａ０乃至ａｎ−１に順次的にマッピングされる。例えば、ＤＣＩが総４４ビット長さの情報ビットにマッピングされるとすれば、ＤＣＩ各フィールドが順次的にａ０乃至ａ４３にマッピングされる。ＤＣＩフォーマット０、１Ａ、３、３Ａは、全て同一なペイロード（payload）サイズを有することができる。ＤＣＩフォーマット０は、アップリンクグラント（uplink grant）と呼ばれることもできる。
【００４８】
無線通信システムでは、データの送受信、システム同期取得、チャンネル情報フィードバックなどのためにアップリンクチャンネルまたはダウンリンクのチャンネルを推定する必要がある。急激なチャンネル環境の変化により生じる信号の歪み（distortion）を補償して送信信号を復元する過程をチャンネル推定という。また、端末が属したセル（または、ポイント）、あるいは他のセル（または、ポイント）に対するチャンネル状態が測定されてもよい。一般的に、チャンネル推定またはチャンネル状態測定のために端末と送受信ポイントとの両方に知られている参照信号を用いるようになる。
【００４９】
端末は、参照信号の情報を知っているため、受信された参照信号に基づいてチャンネルを推定し、チャンネル値を補償して送受信ポイントで送ったデータを正確に得ることができる。
【００５０】
参照信号は、一般的に、参照信号のシーケンスに基づいて生成され送信される。参照信号シーケンスは、相関（correlation）特性に優れるさまざまなシーケンスのうちの１つ以上が使用できる。例えば、ＺＣ（Zadoff-Chu）シーケンスなどのＣＡＺＡＣ（Constant Amplitude Zero Auto-Correlation）シーケンスやｍ−シーケンス、ゴールド（Gold）シーケンス、カサミ（Kasami）シーケンスなどのＰＮ（pseudo-noise）シーケンスなどが参照信号のシーケンスとして使われることができ、この他にもシステム状況によって相関特性に優れるさまざまな他のシーケンスが使用されることもできる。また、上記参照信号シーケンスはシーケンスの長さ（length）を調節するために、循環拡張（cyclic extension）または切断（truncation）されて使われることもでき、ＢＰＳＫ（Binary Phase Shift Keying）やＱＰＳＫ（Quadrature Phase Shift Keying）など、多様な形態に変調（modulation）されてＲＥ（Resource element）にマッピングされてもよい。
【００５１】
ダウンリンク参照信号には、セル特定参照信号（ＣＲＳ：Cell-specific RS）、マルチメディア放送及びマルチキャスト単周波数ネットワーク（Multimedia Broadcast and multicast Single Frequency Network：ＭＢＳＦＮ）参照信号、端末特定参照信号（UE-specific RS、または使用用途によっては復調参照信号（Demodulation RS）とも呼ばれる）、位置参照信号（ＰＲＳ：Positioning RS）及びチャンネル状態情報（ＣＳＩ：Channel State Information）参照信号（ＣＳＩ−ＲＳ）などがある。
【００５２】
ＣＲＳはセル内のいくつか又は全ての端末に送信される参照信号であって、チャンネル推定に使われる。ＣＲＳは、ＰＤＳＣＨ送信をサポートするセル内の全てのダウンリンクサブフレームで送信できる。
【００５３】
端末特定参照信号は、セル内の特定端末または特定端末グループが受信する参照信号であって、特定端末または特定端末グループのデータ復調（demodulation）に主に使われるので、復調参照信号（Demodulation RS：ＤＭ−ＲＳ）と呼ばれることができる。
【００５４】
ＭＢＳＦＮ参照信号は、マルチメディア放送マルチキャストサービス（ＭＢＭＳ：Multimedia Broadcast Multicast Service）を提供するための参照信号であって、ＰＲＳは端末の位置測定のための参照信号として使用できる。
【００５５】
ＣＳＩ−ＲＳは、チャンネル状態情報の推定のために使用できる。ＣＳＩ−ＲＳは、周波数領域または時間領域で配置される。ＣＳＩ−ＲＳを用いたチャンネル状態の推定を通じてチャンネル状態情報として、必要な場合にチャンネル品質指示子（ＣＱＩ：Channel Quality Indicator）、プリコーディング行列指示子（ＰＭＩ：Precoding Matrix Indicator）、及びランク指示子（ＲＩ：Rank Indicator）のうち少なくとも１つを端末が報告してもいい。ＣＳＩ−ＲＳは、１つ以上のアンテナポート上で送信できる。
【００５６】
ＣｏＭＰシステムにおいても多数のセルまたは送受信ポイントが参照信号を端末に送信することができる。
【００５７】
このようなＣｏＭＰ環境では、従来の単一セル（single cell）で定義されていた既存の参照信号の直交性を複数個のセルやＴＰでも保証するための方法及びその装置が考慮されている。特に、既存ＭＩＭＯ環境の他にも上記のようなＣｏＭＰ環境までも考慮して統合された参照信号シーケンスの生成方法／装置及び上記参照信号シーケンスの生成と関連した情報のシグナリング方法／装置が考慮されている。
【００５８】
図２は、本発明の一実施形態によるＣｏＭＰ協調集合（CoMP set）をなしているマクロセル及びはＲＲＨ、上記セル及びはＲＲＨと送受信するＵＥの例を図示している。
【００５９】
図２に示すように、第１ＵＥ ０、第２ＵＥ １、第３ＵＥ ２、第４ＵＥ ３は、各々第１ＴＰ ０、第２ＴＰ １、第３ＴＰ ２、第４ＴＰ ３に属しており、これをサービングセルまたはポイント（serving cell or point）として有してもよい。便宜上、図２に示すように、ＴＰ ０はマクロセル（Macro cell）、ＴＰ １はＲＲＨ １、ＴＰ ２はＲＲＨ ２、ＴＰ ３はＲＲＨ ３に対応する場合を例に挙げる。また、上記ＵＥ ０、ＵＥ １、ＵＥ ２、ＵＥ ３のうち少なくとも１つは、各ＵＥのために割り当てられた帯域幅及び他のＵＥのために割り当てられた帯域幅の一部あるいは全部と周波数上で互いに共有してもよい。
【００６０】
一方、現在ＬＴＥのような無線通信システムでは、ＤＭ−ＲＳのような参照信号を各セルからＵＥに送信するとき、以下の＜数式１＞に示すように、参照信号のシーケンスを生成するようになり、これを共鳴要素（ＲＥ：resource element）にマッピング（mapping）し、信号を生成して各ＵＥに送信される。
【００６１】
【数１】
0005992530.tif 000003
【００６２】
上記＜数式１＞の参照信号シーケンスｒ（ｍ）は複素平面上で実数軸と虚数軸の各々でＰＮシーケンス（ｃ（２ｍ）及びｃ（２ｍ＋１））から生成され、上記ＰＮシーケンスの初期化値であるＣｉｎｉｔはスロットナンバー（ｎｓ）、
0005992530.tif 000004
スクランブリングコード識別子（Scrambling Code Identity、ｎＳＣＩＤまたはＳＣＩＤ）値によって互いに異なる値を有することができる。
【００６３】
＜数式１＞で、ＳＣＩＤ（Scrambling Code Identity、ｎＳＣＩＤ）は、アンテナポート７及び／又は８を使用することができるＤＣＩフォーマット２Ｂの場合、スクランブリング識別子（Scrambling identity）に関する１ビット情報を用いて指示される。また、アンテナポート７、８、９、１０、１１、１２、１３及び／又は１４を使用することができるＤＣＩフォーマット２Ｃの場合、ＤＣＩフォーマット２Ｃに含まれるアンテナポート、スクランブリング識別子、及びレイヤ個数（Antenna port(s)、scrambling identity and number of layers）に関する以下の＜表２＞のような３ビット情報を用いて指示される。特に、＜表２＞に示すように、ＤＣＩフォーマット２Ｃではアンテナポート７及び／又は８に対してはＳＣＩＤが０または１であり、残りのアンテナポートに対しては常に０である。
【００６４】
0005992530.tif 000005
または、
0005992530.tif 000006
【００６５】
この際、上記＜数式１＞のような現在の参照信号シーケンスの生成方法は、単一セル（single cell）に特化されて定義されているので、ＣｏＭＰ環境のような複数個のセルまたはポイントが考慮される環境では、参照信号間の直交性に問題が生じることがある。
【００６６】
図３は、本発明の一実施形態による各送信ポイント（ＴＰ）から多数の端末への参照信号の送信を促進する環境を図示している。
【００６７】
図３に示すように、マクロセルであるＴＰ ０はＵＥ ０及びＵＥ １のうち１つ以上に参照信号を同一な時間−周波数リソース上で送信し（したがって、ＭＵ−ＭＩＭＯの例として見ることができる）、時間−周波数リソース上でＵＥ ０及びＵＥ １に同時に送信される２つの参照信号である（ｍ−ｏ）及び（ｍ−ｌ）を区分するために、上記２つの参照信号（ｍ−ｏ）及び（ｍ−ｌ）は、同一な参照信号シーケンスを使用し、直交カバーコード（ＯＣＣ：orthogonal cover code）のような直交シーケンス（orthogonal sequence）に区分可能である。
【００６８】
また、ＲＲＨ １（ＴＰ １）はＵＥ １に参照信号を送信するが、ＵＥ １が図３に示すようにＣｏＭＰ ＵＥであれば、ＲＲＨ １だけでなく、マクロセルに該当するＴＰ ０からもＪＴ（Joint Transmission）ＣｏＭＰに時間−周波数リソース上で同時に参照信号である（ｍ−ｌ）及び（１）の送信を受ける。このためには、上記２つの参照信号（ｍ−ｌ）及び（１）は同一な参照信号シーケンスを使用する必要がある。総合すれば、図３で例示した参照信号（ｍ−ｏ）、（ｍ−ｌ）、及び（１）は、互いに同一又は対応する参照信号シーケンスを使用する必要があるということである。
【００６９】
仮に、ＭＵ−ＭＩＭＯとＣｏＭＰとを同一な時間−周波数リソースで同時にサポートしなければ、上記図３で例示した３つ参照信号シーケンスが全て同一である必要はない。特に、ＭＵ−ＭＩＭＯがサポートされる場合には、（ｍ−ｏ）及び（ｍ−ｌ）は同一又は対応する参照信号シーケンスを使用してもよく、ＣｏＭＰがサポートされる場合には、（ｍ−ｌ）及び（１）は同一又は対応する参照信号シーケンスを使用してもよい。
【００７０】
一方、図３に示すように、ＲＲＨ ２（ＴＰ ２）はＵＥ ２にＲＲＨ ３（ＴＰ ３）はＵＥ ３に参照信号を送信する（ＣｏＭＰ環境において、上記ＲＲＨ ２及びＲＲＨ ３で各々ＵＥ ２及びＵＥ ３に信号を送信する方法の例は、ＤＰＳあるいはＣＳ／ＣＢであるが、これに限定されない）。この際、ＲＲＨ ２がＵＥ ２に送信する上記参照信号（２）は、ＵＥ０から見ると、干渉（２−ｉ）として作用することがある。同様に、ＲＲＨ ３はＵＥ ３に参照信号（３）を送信するが、実質的には上記参照信号（３）はＵＥ ２から見ると、干渉（３−ｉ）として作用することがある。
【００７１】
特に、上記干渉の問題（具体的に、図３を通じて例を挙げると、ＵＥ ０における（ｍ−ｏ）と（２−ｉ）との間の干渉、ＵＥ ２における（２）と（３−ｉ）との間の干渉）を解決するためには、互いに異なる参照信号シーケンスが使用されてもよい。
【００７２】
したがって、単一セルだけでなく、複数個のセルやポイントが考慮されるＣｏＭＰ環境で、特定ＵＥ（図３での例を挙げると、ＵＥ １）に信号を送信する１つ以上のＴＰ（図３での例を挙げると、ＵＥ １に時間−周波数リソース上で同時に信号を送信するＴＰ ０とＴＰ １）は互いに同一な参照信号を送信するが、上記特定ＵＥ（図３での例を挙げると、ＵＥ １）に信号を送信しないＴＰは（この際、上記送信ポイントを他のＵＥに信号を送信する、図３での例を挙げると、各々ＵＥ ２とＵＥ ３に信号を送信するＴＰ ２及びＴＰ ３）、上記特定ＵＥに送信する参照信号とは互いに異なる参照信号を生成して送信するように互いに異なる参照信号シーケンスを生成してもよい。
【００７３】
特に、単一セルだけでなく、複数個のセルやポイントが考慮されるＣｏＭＰ環境で、各セルまたはＴＰで各ＵＥに参照信号を送信するとき、上記参照信号間の疑似直交性（pseudo orthogonality）を与えるために、ＴＰ ２（ＲＲＨ ２）からＵＥ ２に送信される参照信号とＴＰ ３（ＲＲＨ ３）からＵＥ ３に送信される参照信号とが互いに異なる参照信号シーケンスを生成することが要求されてもよい。
【００７４】
このような場合を解決するためには、ＴＰ ０（Macro cell）からＵＥ ０に送信される参照信号（ｍ−ｏ）とＴＰ ０（Macro cell）及びＴＰ １（ＲＲＨ １）からＵＥ１に送信される参照信号（（ｍ−ｌ）及び（１））とは互いに同一、類似、又は対応する参照信号シーケンスを有するが、上記参照信号（（ｍ−ｏ）、（ｍ−ｌ）、及び（１））とＴＰ ２（ＲＲＨ ２）からＵＥ ２に送信される参照信号（２）とＴＰ ３（ＲＲＨ ３）からＵＥ ３に送信される参照信号（３）の間では参照信号の間の疑似直交性を与えるために、互いに異なる参照信号シーケンスを有していてもよい。
【００７５】
このように、各ＣｏＭＰシナリオで、多数の端末に互いに同一または互いに相違する参照信号シーケンスを送信するための参照信号シーケンスの生成方法が必要であり、これに対しては以下に詳細に説明する。
【００７６】
［シナリオタイプ１］
各セルあるいはＴＰが互いに異なるセルＩＤを有する場合（例えば、ＣｏＭＰシナリオ１、２、３）。
【００７７】
［シナリオサブタイプ１］
互いに同一な参照信号シーケンスを生成するためのアルゴリズム。
【００７８】
参照信号の間のセル間直交性（inter-cell orthogonality）を考慮してＴＰの間のセルＩＤが異なっても互いに同一な参照信号シーケンスを生成するためには、＜数式１＞とは異なり、複数のセル間で共通した共通セルＩＤに基づいてシーケンスを生成してもよい。例えば、図３でＴＰ ０（Macro cell）からＵＥ ０に送信される参照信号（ｍ−ｏ）、ＴＰ ０（Macro cell）、及びＴＰ １（ＲＲＨ １）からＵＥ １に送信される参照信号（（ｍ−ｌ）及び（１））は全ての同一なセルＩＤに基づいて参照信号シーケンスを生成することが要求されてもよい。
【００７９】
仮に、ＣｏＭＰとＭＵ−ＭＩＭＯを同一の時間−周波数リソース上で同時にサポートされない場合、ＵＥから見ると変化はない。特に、１つ以上のＵＥが属したセルまたは送受信ポイント（transmission/reception point）のセルＩＤに従えばよいので、個別に１つ以上のＵＥに上記複数のセル間で共通した共通セルＩＤに対する情報が通知されなくてもよい。ｅＮｏｄｅＢが共通セルＩＤの情報を知り、共通セルＩＤに基づいてシーケンスを生成すればよい。特に、ｅＮｏｄｅＢから見ると、参照信号シーケンスの生成方法が変わる。
【００８０】
仮に、ＣｏＭＰとＭＵ−ＭＩＭＯを同一の時間−周波数リソース上で同時にサポートする場合には、１つ以上のＵＥが属したセルまたは送受信ポイントのセルＩＤと上記共通セルＩＤが異なることがあるので、個別に１つ以上のＵＥに複数のセル間で共通した共通セルＩＤに対する情報が通知されてもよい。この場合、ｅＮｏｄｅＢは上記共通セルＩＤに基づいてシーケンスを生成すればよい。特に、ｅＮｏｄｅＢ及びＵＥからみると、参照信号シーケンスと関連した状況が既存のものと変わってもよい。
【００８１】
［シナリオサブタイプ２］
互いに異なる参照信号シーケンスを生成するためのアルゴリズム。
【００８２】
ＴＰの間のセルＩＤが互いに異なるので、＜数式１＞のようなセル固有（cell-specific）の参照信号シーケンス生成方法だけでも十分に互いに異なる参照信号シーケンスの生成が可能である。特に、ｅＮｏｄｅＢ及びＵＥからみると、参照信号シーケンスと関連した状況が既存のものと変わらなくてもよい。
【００８３】
勿論、互いに異なる参照信号シーケンスを生成するために、より細分化してＵＥまたはＴＰ別に互いに異なる参照信号シーケンスを生成してもよい。
【００８４】
［シナリオタイプ２］
各セルあるいはＴＰが同一なセルＩＤを有する場合（例えば、ＣｏＭＰシナリオ４）。
【００８５】
［シナリオサブタイプ１］
互いに同一な参照信号シーケンスを生成するためのアルゴリズム。
【００８６】
ＴＰの間のセルＩＤが異なる場合には、互いに同一な参照信号シーケンスを生成するために、＜数式１＞とは異なり、複数のセル間で共通した共通セルＩＤに基づいてシーケンスを生成してもよいが、ＣｏＭＰシナリオ４は１つ以上のポイントが互いに同一なセルＩＤを有するＣｏＭＰ環境を有してもよく、いくつか又は全てのポイントが既にセルＩＤとして共通セルＩＤを使用している環境に対応してもよい。したがって、＜数式１＞のようなセル固有の参照信号シーケンス生成方法だけでも十分に互いに同一な参照信号シーケンスの生成が可能である。特に、ｅＮｏｄｅＢ及びＵＥからみると、参照信号シーケンスと関連した状況が既存のものと変わらなくてもよい。
【００８７】
［シナリオサブタイプ２］
互いに異なる参照信号シーケンスを生成するためのアルゴリズム。
【００８８】
ＴＰの間のセルＩＤが互いに同一であるので、＜数式１＞のようなセル固有の参照信号シーケンス生成方法だけでは互いに異なる参照信号シーケンスの生成が不可能である。したがって、＜数式１＞のような参照信号シーケンス生成方法を変形してＵＥあるいはＴＰ別に互いに異なる参照信号シーケンスを生成することができる。この際、互いに異なる参照信号シーケンスを生成するために、＜数式１＞で定義した初期化値（Ｃｉｎｉｔ）をＵＥまたはＴＰ別に互いに異なるように設定することができ、このために必要な情報を初期化値生成情報として定義することができる。
【００８９】
特に、ＵＥまたはＴＰ別に互いに異なる参照信号シーケンスを生成するための初期化値生成情報は、ＴＰからＵＥに送信されてもよい。したがって、ＴＰ（または、ＮｏｄｅＢ）及びＵＥからみると、参照信号シーケンスと関連した状況が既存のものと変わってもよい。
【００９０】
このように、上記方式により参照信号シーケンスを生成し、この情報をＵＥにシグナリングするとき、１つ以上のＣｏＭＰシナリオ環境及び既存単一セル環境を各々別に考慮して参照信号を生成し、ＵＥにシグナリングすることもできるが、統合された１つの生成方法及びシグナリング方法を使用することがより効果的である。
【００９１】
本発明の一実施形態では、このような点を考慮して、ダウンリンク参照信号シーケンスの生成時に使われるシーケンスの初期化値として互いに同一なシーケンス生成のための第１初期化値（以下、第１初期化値または初期化値Ａという）と互いに異なるシーケンス生成のための第２初期化値（以下、第２初期化値または初期化値Ｂという）など、複数個の初期化値を有し、１つ以上のＵＥの状況によって、このうちの１つを選択してシーケンスを生成し、この選択と関連した指示情報を端末にシグナリングする方案を提示するものである。
【００９２】
以下、初期化値Ａ（第１初期化値）及び初期化値Ｂ（第２初期化値）の生成方法と、そのために必要な初期化値生成情報などについて説明する。
【００９３】
（１）互いに同一なシーケンス生成のための初期化値（初期化値Ａまたは第１初期化値）
【００９４】
上記＜数式１＞で使われたセル固有の初期化値が使用されると、ＵＥに個別に追加的にシグナリングされる情報はない。特に、ＣｏＭＰシナリオ１、２、３のように複数のＴＰのセルＩＤが互いに異なる場合でなく、一般的な通信環境では参照信号シーケンスが同一になる個別の初期化値生成情報を必要としない。したがって、一般的な通信環境はＵＥに初期化値生成情報をシグナリングする必要もない。
【００９５】
複数のＴＰが異なるセルＩＤを有する場合において、ＭＵ−ＭＩＭＯとＣｏＭＰとを同時に考慮するとき、ＣｏＭＰ協調集合（CoMP set）全体を代表する共通セルＩＤが上記＜数式１＞の初期化値（Ｃｉｎｉｔ）を求めるための
0005992530.tif 000007
の代りに使用されてもよい。
【００９６】
この際、共通セルＩＤは予めＵＥにＲＲＣなどの上位階層（high layer）シグナリングで送信できる。この共通セルＩＤ情報は、９ビットであるが、これに限定されない。但し、共通セルＩＤを使用する場合にも、ＣｏＭＰシナリオ４や非ＣｏＭＰ（non-CoMP）環境では、ＵＥに属する共通セルＩＤがセルまたはＴＰのセルＩＤと同一、類似、又は対応するので、個別にシグナリングされない、または個別にシグナリングされても、共通セルＩＤはセルまたはＴＰのＵＥが属するセルＩＤになる。
【００９７】
特に、初期化値Ａのためには上記＜数式１＞で使われたセル固有の初期化値が使われるか、あるいはＣｏＭＰセット固有の初期化値が使用できる。セル固有の初期化値が使われる場合には、個別に指示されるシグナリング情報は存在しない。ＣｏＭＰセット固有の初期化値が使われる場合には、共通セルＩＤ情報を初期化値生成情報として１つ以上のＵＥにシグナリング又は送信してもよく、このような共通セルＩＤ情報のシグナリング又は送信の実行はＲＲＣなどの上位階層シグナリングが利用できる。
【００９８】
（２）互いに異なるシーケンス生成のための初期化値（初期化値Ｂまたは第２初期化値）
【００９９】
ＣｏＭＰシナリオ４などのように、複数のＴＰが同一のセルＩＤを有する場合では、＜数式１＞のようなセル固有の参照信号シーケンスの初期化値は互いに異なる参照信号シーケンスを生成することは不可能である。したがって、＜数式１＞のような参照信号シーケンス生成方法を変形してＵＥあるいはＴＰ別に互いに異なる参照信号シーケンスの初期化値を生成してもよい。この変更された初期化値を生成することができる初期化値生成情報がＵＥに指示されてもよい。
【０１００】
複数のＴＰが異なるセルＩＤを有する場合、＜数式１＞のようなセル固有の参照信号シーケンスの初期化値は、異なるシーケンス生成のための初期化値として充分である。しかしながら、＜数式１＞のような参照信号シーケンス生成方法を変形し、ＵＥあるいはＴＰによる参照信号シーケンスの異なる初期化値が生成されても、異なるシーケンスが生成される。したがって、その変更方法が同様に適用されてもよい。
【０１０１】
上記ＵＥあるいはＴＰによる参照信号シーケンスの異なる初期化値を生成する方法は、以下の方法のうちの１つを含む。初期値を生成するための初期化値生成情報は、ＵＥが初期化値生成情報を知ることができるように定義されるか、ＲＲＣのように、上階層シグナリングを通過して予め又はその場でＵＥに送信されてもよい。以下に説明するように、このような方式では互いに異なる初期化値（Ｃｉｎｉｔ）を生成するための初期化値生成情報として＜数式１＞のｎＳＣＩＤはｎＲＮＴＩまたはｎ`ＳＣＩＤに置き換えられる。
【０１０２】
第１方法はラジオネットワーク一時的識別子（ＲＮＴＩ：Radio Network Temporary Identifier）が使用される。
【０１０３】
＜数式１＞に示すｎＳＣＩＤに代えてＲＮＴＩ値を使用することができ（例えば、＜数式１＞のパラメータｎＳＣＩＤがｎＲＮＴＩに変更）、これによって、参照信号のシーケンス初期化値が１つ以上のＵＥに対して異なるように設定できる。初期化値に基づいて、参照信号シーケンスが生成され、ＲＥ（resource element）マッピングされ、１つ以上のＵＥに送信するように信号が生成される。
【０１０４】
さらに、１つ以上のＵＥが既にＲＮＴＩを知っているので、シグナリングされた初期化値生成情報は０ビット値を有してもよい。
【０１０５】
特に、第１方法では、１つ以上のＵＥに異なる参照信号シーケンスを生成するために、初期化値生成情報として各ＵＥのＲＮＴＩが使用（例えば、＜数式１＞でｎＳＣＩＤがｎＲＮＴＩに取り替えられる）されるが、ＵＥはＵＥのＲＮＴＩを既に知っているので初期化値生成情報はＵＥに別途シグナリングしなくてもよい。
【０１０６】
第２方法は個別のＵＥ−固有情報が使用される。
【０１０７】
第２方式では、初期化値生成情報として個別に定義されるＵＥ−固有情報が使われてもよく、このようなＵＥ固有情報をｎ`ＳＣＩＤと表示する。
【０１０８】
特に、第２方法では＜数式１＞のｎＳＣＩＤの代わりに、ＵＥ−固有なＲＲＣのような上位階層シグナリングで送信されるパラメータが使用できる。例えば、パラメータｎＳＣＩＤがｎ`ＳＣＩＤに変更されてもよい。さらに、ｎ`ＳＣＩＤに設定されるＵＥ固有情報としてビット数Ｎビット（Ｎは、１以上の自然数）情報が使われてもよい。Ｎビット情報を用いることで、時間−周波数上で同時に参照信号を送信するＵＥの最大数２Ｎによる異なる参照信号シーケンスが生成されて割り当てられる。これによって、上記参照信号の疑似直交性を与えることができる。
【０１０９】
その結果、第２方式ではＮビットの個別のＵＥ−固有情報を初期化値生成情報として使用し、このようなＵＥ−固有情報はＲＲＣシグナリングなどを用いて１つ以上のＵＥに送信できる。
【０１１０】
第３方法は個別のＴＰ−固有情報が使用される。
【０１１１】
第３方式では初期化値生成情報として個別に定義されるＴＰ固有情報が使われてもよく、このようなＴＰ固有情報をｎ`ＳＣＩＤと表示する。
【０１１２】
特に、第３方法では、パラメータはＴＰに対して固有のＲＲＣのような上位階層シグナリングで送信されてもよい。さらに、パラメータは＜数式１＞のｎＳＣＩＤの代わりに使用されてもよい。例えば、パラメータｎＳＣＩＤがｎ`ＳＣＩＤに変更されてもよい。ここで、ｎ`ＳＣＩＤに設定されるＴＰ固有情報としてビット数Ｎビット（Ｎは、１以上の自然数）情報が使われてもよい。Ｎビット情報を用いることで、時間−周波数上で同時に参照信号を送信するＴＰの最大数２Ｎによる異なる参照信号シーケンスが生成されて割り当てられる。これによって、上記参照信号の疑似直交性を与えることができる。
【０１１３】
したがって、第３方法ではＮビットの個別のＴＰ固有情報を初期化値生成情報として使用し、このようなＴＰ−固有情報はＲＲＣシグナリングなどを用いて１つ以上のＵＥに送信できる。
【０１１４】
第４方法はＣＳＩ−ＲＳアンテナポート及び／又はＣＳＩ−ＲＳ構成情報（configuration）が使用される。
【０１１５】
第４方法では、＜数式１＞のｎＳＣＩＤの代わりに、ＣＳＩ−ＲＳアンテナポート及び／又はＣＳＩ−ＲＳ構成情報と連携して決定されるパラメータが使用できる。特に、ＣＳＩ−ＲＳアンテナポート及び／又はＣＳＩ−ＲＳ構成情報に関連して決定されるパラメータ（ｎ`ＳＣＩＤ）が初期化値生成情報として使われてもよい。初期化値生成情報としてのパラメータｎ`ＳＣＩＤの使用は、＜数式１＞のパラメータｎＳＣＩＤがｎ`ＳＣＩＤに変更することにより表される。
【０１１６】
典型的な実施形態によると、１５乃至２２の値を有するＣＳＩ−ＲＳアンテナポート情報、または０乃至３１の値を有するＣＳＩ−ＲＳ構成情報、またはＣＳＩ−ＲＳアンテナポート情報及び／又はＣＳＩ−ＲＳ構成情報から導出されるパラメータが初期化値生成情報（ｎ`ＳＣＩＤ）に利用されてもよい。初期化値生成情報（ｎ`ＳＣＩＤ）の例は次の通りである。
【０１１７】
0005992530.tif 000008
【０１１８】
参照信号のシーケンスはＲＥにマッピングされた初期化値生成情報（ｎ`ＳＣＩＤ）に基づいて生成されてもよく、信号は１つ以上のＵＥに送信されるように生成されてもよい。さらに、１つ以上のＵＥが、ＣＳＩ−ＲＳのための他のシグナリングを通じてＣＳＩ−ＲＳアンテナポート及び／又はＣＳＩ−ＲＳ構成情報知っているので、シグナリングされるビットは０ビットである。
【０１１９】
特に、第４方法では、１つ以上のＵＥまたはＴＰに対して異なる参照信号シーケンスを生成するために、初期化値生成情報として、ＣＳＩ−ＲＳアンテナポート情報、または０乃至３１の値を有するＣＳＩ−ＲＳ構成情報、またはＣＳＩ−ＲＳアンテナポート情報及び／又はＣＳＩ−ＲＳ構成情報から導出されるパラメータが使用（例えば、＜数式１＞でｎＳＣＩＤがｎ`ＳＣＩＤに置き換えられる）されてもよい。このような情報は他のシグナリングを通じて１つ以上のＵＥが既に知っているので、初期化値生成情報は１つ以上のＵＥに別途シグナリングされなくてもよい。
【０１２０】
以上のように、本発明の一実施形態では、１つ以上のＵＥ又はＴＰと同一、類似、又は対応する参照信号、及び１つ以上のＵＥ又はＴＰと異なる参照信号のうちの１つを選択的に生成し、生成された参照信号を１つ以上のＵＥにＴＰによって送信し、送信された参照信号が１つ以上のＵＥまたはＴＰに類似又は異なる参照信号か否かに対する選択指示情報を生成し、生成された選択指示情報を１つ以上のＵＥにＴＰによって送信する。上記の方法は、ＣｏＭＰ及びＭＵ−ＭＩＭＯなどの通信環境によって１つ以上のＵＥに適合されてもよい。
【０１２１】
また、送信のために生成される参照信号に対するシーケンス初期化値を変更することができる初期化値生成情報を生成し、生成された初期化値生成情報を該当端末に送信することをさらに含んでもよい。このような初期化値生成情報は、共通セルＩＤ、ＲＮＴＩ、ＵＥ固有情報、ＴＰ固有情報、ＣＳＩ−ＲＳ関連パラメータのうちの少なくとも１つを含んでもよく、ＲＲＣのような上位階層シグナリングを介して送信されてもよい。
【０１２２】
さらに、このような初期化値生成情報は通信システムの種類によって各々のＵＥに個別にシグナリングされなくてもよい。
【０１２３】
また、送信された参照信号が１つ以上のＵＥまたはＴＰに類似又は相違する参照信号なのか否かに対する選択指示情報は、ＤＣＩフォーマットに含まれた情報から暗示的（implicit）に指示されてもよく、ＤＣＩ情報に含まれる個別のビットを用いて明示的（explicit）に指示されてもよい。
【０１２４】
選択指示情報が暗示的に示される場合には、選択指示情報はＤＣＩフォーマット２Ｂに含まれた１ビットのスクランブリングコード識別子（Scrambling Code Identity：ｎＳＣＩＤ、またはＳＣＩＤ）情報によって示されてもよく、またＤＣＩフォーマット２Ｃに含まれたアンテナポート、スクランブリング識別子、及びレイヤ個数（Antenna port(s)、scrambling identity and number of layers）情報によって示されてもよい。
【０１２５】
また、選択指示情報が明示的に示される場合、選択指示情報はＤＣＩフォーマットに個別に追加される１ビットの追加指示ビットによって示されてもよく、またＤＣＩフォーマットの４ビットで新しく構成または定義されるアンテナポート、スクランブリング識別子、及びレイヤ個数（Antenna port(s)、scrambling identity and number of layers）情報テーブルの少なくとも一つによって示されてもよい。
【０１２６】
このように、本発明の一実施形態では、１つ以上のＵＥの状況に関する初期化値Ａ及びＢ（initialization value A and B）の中から選択された初期化値を動的（dynamic）に決定し、この決定に関連する情報（例えば、選択指示情報）をＵＥに送信してもよい。さらに、このような選択指示情報を構成する方式は、以下に示す４個の方法のうち少なくとも１つを含んでもよい。しかしながら、本発明の一側面それらに限定されるものではない。
【０１２７】
選択指示情報生成方法１を以下に詳細に説明する。方法１は表２のＤＭ−ＲＳに関連する指示情報が存在する方法がそのまま使用される。
【０１２８】
選択指示情報生成方法１は、＜表２＞のように予め定義された参照信号指示情報を使用してもよく、暗示的に示すために参照信号指示情報を使用してもよい。
【０１２９】
より具体的には、＜表２＞に示すように、ＤＣＩフォーマット２Ｃの３ビット情報であるアンテナポート、スクランブリング識別子、及びレイヤ個数（Antenna port(s)、scrambling identity and number of layers）情報に含まれる第１の値、ＳＣＩＤ値は、表示のために使用されてもよい。ＳＣＩＤ＝０の場合、初期化値Ａ（例えば、同一な参照信号シーケンスを生成するための初期化値）が生成されてもよい。ＳＣＩＤ＝１の場合、初期化値Ｂ（例えば、異なる参照信号シーケンスを生成するための初期化値）が生成されてもよい。また、ＳＣＩＤ＝１の場合、初期化値Ａ（例えば、同一な参照信号シーケンスを生成するための初期化値）が生成されてもよい。ＳＣＩＤ＝０の場合、初期化値Ｂ（例えば、異なる参照信号シーケンスを生成するための初期化値）が生成されてもよい。
【０１３０】
方法１のこの構成を説明するために＜数式１＞を変形すると、以下の＜数式２＞が得られる。＜数式２＞は＜表２＞の値のようにＳＣＩＤの存在を送信するための情報を提供する。
【０１３１】
【数２】
0005992530.tif 000009
【０１３２】
0005992530.tif 000010
は前述したように、共通セルＩＤや、＜数式１＞においてＵＥが属したセルまたはＴＰのセルＩＤであってもよい。また、＜数式１＞のｎＳＣＩＤは、本発明の一実施形態による初期化値生成情報であるｎＡに置き替えることができ、シグナリングされるＳＣＩＤ値の存在に関連する初期化値Ａまたは初期化値Ｂを生成する場合によって異なるように設定してもよい。
【０１３３】
ここで、ｎＡがｎＳＣＩＤと同一又は類似の意味を有するとき、ｎＡはｎＳＣＩＤに置き換えられるパラメータを意味してもよいが、上記のような方式の表記に限定されるものでなく、他の方式で表記することもできる。例えば、ｎＳＣＩＤが同一の又は対応するパラメータとして使用されてもよい。
【０１３４】
初期化値生成情報は、ＵＥ又はＴＰと同一、類似、又は対応する初期化値Ａに変更する、またはＵＥ又はＴＰと相異する初期化値Ｂに変更するために使われてもよい。また、初期化値生成情報は、
0005992530.tif 000011
共通セルＩＤ、ＲＮＴＩ情報、個別に定義されるＵＥ固有情報、個別に定義されるＴＰ固有情報、及びＣＳＩ−ＲＳ関連パラメータの少なくとも１つを含む選択指示情報に応じて初期化値Ａ又は初期化値Ｂに変更するために使われてもよい。１つ以上のＵＥが知らない情報がそれらの中に存在する場合、ｅＮｏｄｅＢは関連する初期化値生成情報を各々のＵＥ又はＲＲＣシグナリングなどを用いたＵＥに送信してもよい。また、初期化値生成情報のうち、ＲＮＴＩ情報はｎＲＮＴＩに置き換えられてもよく、個別に定義されるＵＥ固有情報、個別に定義されるＴＰ固有情報、ＣＳＩ−ＲＳ関連パラメータなどのように、ｎＳＣＩＤと相異する値はｎ´ＳＣＩＤに置き換えられてもよい。
【０１３５】
選択指示情報生成方法２を以下に詳細に説明する。方法２は表２のＤＭ−ＲＳに関連する指示情報が存在する方法がそのまま使用される。
【０１３６】
選択指示情報生成方法２は、＜表２＞のように予め定義された参照信号指示情報を使用してもよく、明示的な指示ビットを用いてもよい。
【０１３７】
方法２では、ＤＣＩフォーマットに個別の１ビットの選択指示情報が含まれてもよい。特に、方法１ではＤＣＩに追加される情報がないのに対して、方法２のＤＣＩには１ビットが含まれてもよい。このような方法２の場合、＜数式１＞の初期化値を求める数式は以下の＜数式３＞及び＜数式４＞で表現できる。参照信号シーケンスを表す式ｒ（ｍ）は＜数式１＞のものと類似又は同一であるので、詳細な説明はしない。
【０１３８】
参考に、＜数式３＞はＤＣＩフォーマットにさらに含まれる、０又は１の値を有する１ビット情報が初期化値Ａ（例えば、同一な参照信号シーケンスを生成するための初期化値）の生成を示す状況に対応する。＜数式４＞はＤＣＩフォーマットにさらに含まれる１ビット情報が、異なる参照信号シーケンスを生成するための初期化値である初期化値Ｂの生成を示す状況に対応する。
【０１３９】
【数３】
0005992530.tif 000012
【０１４０】
【数４】
0005992530.tif 000013
【０１４１】
＜数式１＞と比較して、＜数式３＞及び＜数式４＞でＤＣＩフォーマットにさらに含まれる１ビット情報が、同一な参照信号シーケンスを生成するための初期化値である初期化値Ａまたは第１初期化値の生成を示す場合、
0005992530.tif 000014
は、＜数式１＞に示すように、ＵＥが属する共通セルＩＤ又はセル若しくはポイントのセルＩＤであってもよい。しかしながら、ＤＣＩフォーマットにさらに含まれる１ビット情報が初期化値Ｂまたは異なる参照信号シーケンスを生成するための初期化値である第２初期化値を生成することを示す場合、
0005992530.tif 000015
は、＜数式１＞に示すように、ＵＥが属するセルまたはポイントのセルＩＤであってもよい。
【０１４２】
また、ＤＣＩフォーマットにさらに含まれる１ビット情報が初期化値Ａまたは第１初期化値（同一な参照信号シーケンスを生成するための初期化値）を生成することを示す場合、＜数式３＞によって定義される初期化値を決定するパラメータのうち、ｎＳＣＩＤは＜数式１＞と類似又は同一な方式により値が指定されてもよい。ＤＣＩフォーマットにさらに含まれる１ビット情報が初期化値Ｂまたは第２初期化値（異なる参照信号シーケンスを生成するための初期化値）を生成することを示す場合、ｎＳＣＩＤはｎＡに置き換えられる。ｎＡの値は、ＵＥ固有情報、ＴＰ固有情報、ＲＮＴＩ値であるｎＲＮＴＩ、及びｎ´ＳＣＩＤのうち少なくとも１つであってもよい。
【０１４３】
ｎＡはｎＳＣＩＤに代えるパラメータを意味してもよい。しかしながら、ｎＡがｎＳＣＩＤと類似又は同一な意味を有する場合、本発明は上記のような方式の表記に限定されるものでない。ｎＡは上記の他の方式で表記することもできる。例えば、ｎＳＣＩＤが同一又は対応するパラメータとして使用されてもよい。
【０１４４】
同様に、方法２では、初期化値生成情報は、
0005992530.tif 000016
共通セルＩＤ、ＲＮＴＩ情報、個別に定義されるＵＥ固有情報、個別に定義されるＴＰ固有情報、及びＣＳＩ−ＲＳ関連パラメータの少なくとも１つを含んでもよい。１つ以上のＵＥが知らない情報がそれらの中に存在する場合、ｅＮｏｄｅＢはＲＲＣシグナリングなどを用いた１つ以上のＵＥに各々の初期化値生成情報を送信してもよい。
【０１４５】
選択指示情報生成方法３を以下に詳細に説明する。方法３は表２の代りに構成されたＤＭ−ＲＳと関連した指示情報を混用する方法であってもよく、さらに１ビットの情報が使用されてもよい。
【０１４６】
選択指示情報生成方法３は、＜表２＞で定義された参照信号指示情報とは異なり、変更された参照信号指示情報を定義してもよく、かつ変更された参照信号指示情報と個別に同一、類似、対応する、又は相異する初期化値を指定するための明示的な１ビットの追加情報を使用してもよい。
【０１４７】
特に、以下の＜表３＞または＜表４＞のように、既存のＤＣＩフォーマット２Ｃに含まれる３ビット情報であるアンテナポート、スクランブリング識別子、及びレイヤ個数（Antenna port(s)、scrambling identity and number of layers）と対応するテーブルで、かつＳＣＩＤは含まない３ビットのアンテナポート及びレイヤ個数（Antenna port(s)and number of layers）情報テーブルを定義してもよい。また、個別に初期化値ＡまたはＢを指定するための追加１ビットが個別に定義されてもよい。したがって、方法３において、選択指示情報は総４ビットの情報となる。
【０１４８】
＜表２＞のような従来方式では、ＭＵ−ＭＩＭＯに対してアンテナポート７、８番を使用し、アンテナポート７、８番の各々に対して０と１のＳＣＩＤ値を適用することで、合計４個のレイヤ対してＭＵ−ＭＩＭＯを可能にした。しかしながら、この状況では、ＳＣＩＤが互いに異なる場合には、正常な直交性（normal orthogonality）より準直交性（quasi-orthogonal）がアンテナポート間に保証される。
【０１４９】
したがって、正常な直交性を保証するためにＳＣＩＤを使用することでＭＵ−ＭＩＭＯのレイヤを区分するのでなく、アンテナポートを使用してＭＵ−ＭＩＭＯのレイヤを区分することがより好ましい。この点について、以下の＜表３＞または＜表４＞は方法３に関連するアンテナポート及びレイヤ個数（Antenna port(s)and number of layers）の情報テーブルを含んでもよい。
【０１５０】
以下の＜表３＞または＜表４＞のようなテーブルでは、既存アンテナポート７、８番だけでなく、さらに２つのアンテナポートが使われてもよい。例えば、追加の２つのポートは、アンテナポート９、１０、またはアンテナポート１１、１３を含んでもよい。したがって、方式３では、＜表２＞に代わって＜表３＞または＜表４＞が使用されてもよい。ここで、ＳＣＩＤ値は個別にＤＣＩに含まれない。
【０１５１】
0005992530.tif 000017
【０１５２】
0005992530.tif 000018
【０１５３】
したがって、＜表３＞または＜表４＞に関して、＜数式１＞によって定義される初期化値を求める数式は以下の＜数式５＞または＜数式６＞に置き換えることができる。以下の＜数式５＞及び＜数式６＞の各々において、参照信号シーケンスを表す式ｒ（ｍ）は＜数式１＞のものと同一であるので、表現を省略する。
【０１５４】
特に、ＤＣＩフォーマットにさらに含まれ、０又は１の値を有する１ビット情報が、同一な参照信号シーケンスを生成するための初期化値である初期化値Ａの生成を示す場合、初期化値は以下の＜数式５＞により算出できる。
【０１５５】
【数５】
0005992530.tif 000019
【０１５６】
さらに、ＤＣＩフォーマットにさらに含まれる１ビット情報が、異なる参照信号シーケンスを生成するための初期化値である初期化値Ｂの生成を示す場合、初期化値は以下の＜数式６＞により算出できる。
【０１５７】
【数６】
0005992530.tif 000020
【０１５８】
＜数式１＞と比較して、＜数式５＞及び＜数式６＞でＤＣＩフォーマットにさらに含まれる１ビット情報が、同一な参照信号シーケンスを生成するための初期化値である初期化値Ａの生成を示す場合、
0005992530.tif 000021
は新しく定義される共通セルＩＤになることもでき、＜数式１＞に示すように、ＵＥが属するセルまたはポイントのセルＩＤであってもよい。
【０１５９】
しかしながら、ＤＣＩフォーマットにさらに含まれる１ビット情報が、異なる参照信号シーケンスを生成するための初期化値である初期化値Ｂの生成を示す場合、＜数式１＞に示すように、ＵＥが属するセルまたはポイントのセルＩＤが
0005992530.tif 000022
として使用されてもよい。
【０１６０】
また、ＤＣＩフォーマットにさらに含まれる１ビット情報が初期化値Ａの生成を示す場合、＜数式１＞のｎＳＣＩＤに対応するｎＡは＜数式５＞に示された“０”の値を有するデフォルト値を有してもよいが、ｎＡの値はそれに限定されず、他の値を有することもできる。ＤＣＩフォーマットにさらに含まれる１ビット情報が初期化値Ｂの生成を示す場合、ｎＡ値は、ＲＮＴＩ情報、個別に定義されるＵＥ固有情報、個別に定義されるＴＰ固有情報、及びＣＳＩ−ＲＳ関連パラメータのうち少なくとも１つを含むＵＥ固有またはＴＰ固有の値になってもよい。
【０１６１】
＜数式５＞及び＜数式６＞では、ｎＡはｎＳＣＩＤに代えるパラメータを意味してもよい。しかしながら、ｎＡがｎＳＣＩＤと類似又は同一な意味を有する場合、本発明は上記のような方式の表記に限定されるものでない。例えば、ｎＡは上記の他の方式で表記することもでき、ｎＳＣＩＤが同一又は対応するパラメータとして使用されてもよい。
【０１６２】
同様に、方法３では、初期化値選択指示情報に対応する参照信号シーケンス初期化値Ａまたは参照信号シーケンス初期化値Ｂを生成するための初期化値生成情報は、
0005992530.tif 000023
共通セルＩＤ、ＲＮＴＩ情報、個別に定義されるＵＥ固有情報、個別に定義されるＴＰ固有情報、及びＣＳＩ−ＲＳ関連パラメータのうち少なくとも１つを含んでもよい。１つ以上のＵＥが知らない情報がそれらの中に存在する場合、ｅＮｏｄｅＢはＲＲＣシグナリングなどを用いた１つ以上のＵＥに各々の初期化値生成情報を送信してもよい。
【０１６３】
選択指示情報生成方法４を以下に詳細に説明する。方法４は、表２の代りに新しい４ビットのＤＭ−ＲＳと関連した指示情報を定義する方法であってもよい。
【０１６４】
選択指示情報生成方法４は、まず＜表２＞で予め定義された参照信号指示情報とは異なり、合計４ビットを用いて新しい参照信号指示情報を定義してもよい。さらに、方法４はその新しい参照信号指示情報を用いて選択指示情報を活用してもよい。
【０１６５】
特に、新しい参照信号指示情報は、既存のＤＣＩフォーマット２Ｃに含まれる３ビット情報である１つ以上のアンテナポート、スクランブリング識別子、及びレイヤ個数（Antenna port(s)、scrambling identity and number of layers）と対応するテーブルであって、１つ以上のアンテナポート、スクランブリング識別子、及びレイヤ個数（Antenna port(s)、scrambling identity and number of layers）の新しい情報のテーブルのうち少なくとも１つを含んでもよい。新しい参照信号情報は１ビットが追加されて合計４ビットを有していてもよい。そして、定義されたテーブルは選択指示情報を暗示的に示すために使用されてもよい。
【０１６６】
特に、以下の＜表５＞または＜表６＞のような４ビットの１つまたはそれ以上のアンテナポート、スクランブリング識別子、及びレイヤ個数（Antenna port(s)、scrambling identity and number of layers）の情報に含まれる少なくとも１つのＳＣＩＤ値が指示のために使用されてもよい。ＳＣＩＤ＝０の場合、同一な参照信号シーケンスを生成するための初期化値である初期化値Ａが生成されてもよい。ＳＣＩＤ＝１の場合、異なる参照信号シーケンスを生成するための初期化値である初期化値Ｂが生成されてもよい。反対に、ＳＣＩＤ＝１の場合、初期化値Ａが生成されてもよい。ＳＣＩＤ＝０の場合、初期化値Ｂが生成されてもよい。
【０１６７】
0005992530.tif 000024
または、
0005992530.tif 000025
【０１６８】
0005992530.tif 000026
または、
0005992530.tif 000027
【０１６９】
このような方法４によれば、＜数式１＞によって定義される初期化値を求める数式は、以下の＜数式７＞または＜数式８＞に置き換えることができる。以下の＜数式７＞及び＜数式８＞の各々において、参照信号シーケンスを表す式ｒ（ｍ）は＜数式１＞のものと同一であるので、表現を省略する。
【０１７０】
【数７】
0005992530.tif 000028
【０１７１】
【数８】
0005992530.tif 000029
【０１７２】
特に、既存のリリース１０（Ｒｅｌ−１０）のＤＣＩフォーマットの状況と比較して、上記の方法１はシグナリングビットが３ビットで同一である。方法２及び方法３は３ビットに追加で１ビットが加えられる状況に該当する。方法４は方法２及び方法３を変形してよりＤＭ−ＲＳの直交ポート（orthogonal port）選択の柔軟性（flexibility）を与える方法である。
【０１７３】
＜表５＞、＜表６＞はさまざまな環境又は状況に関連付けられた情報を含む。これらの環境又は状況では、ＤＭ−ＲＳの直交ポートが選択される。本発明の一側面によると、合計８個の直交ポートをＭＵ−ＭＩＭＯのために使用することができる。しかしながら、状況によって＜表５＞、＜表６＞の１つ以上の行を削除するために予約（reserved）された行数を増やしてもよい。
【０１７４】
図４は、本発明の一実施形態による参照信号送信方法の全体流れを図示する。
【０１７５】
あるＵＥに送信する参照信号を生成するときに、特定ＵＥの通信環境を考慮して、ＴＰは、参照信号として、各々のＵＥまたはＴＰに対して同一な参照信号シーケンスの初期化値Ａ（または、第１初期化値）及び１つ以上のＵＥ又はＴＰに対して異なる参照信号シーケンスの初期化値Ｂ（または、第２初期化値）のうち少なくとも１つを選択してもよい。またＴＰは、関連性のある又は選択された初期化値に基づいて参照信号シーケンスを生成する（Ｓ４２０）。
【０１７６】
ｅＮｏｄｅＢ及び／又はＴＰは、第１初期化値及び第２初期化値のうちから選択された初期化値に対する情報である選択指示情報を生成し、生成された選択指示情報をＤＣＩフォーマット形式などで端末に送信する（Ｓ４２５）。前述したように、選択指示情報は、ＤＣＩフォーマット２Ｃに含まれる３ビットを有する１つ以上のアンテナポート、スクランブリング識別子、及びレイヤ個数（Antenna port(s)、scrambling identity and number of layers）の情報のうち少なくとも１つ、又は、新しく定義された４ビットの１つ以上のアンテナポート、スクランブリング識別子、及びレイヤ個数（Antenna port(s)、scrambling identity and number of layers）の情報のうち少なくとも１つによって暗示的（implicit）に示されてもよい。また、選択指示情報は、１つ以上の明示的な指示ビットをさらに用いて個別に生成されてもよい。
【０１７７】
また、ＴＰはステップＳ４２０で生成された参照信号シーケンスをＲＥにマッピングし（Ｓ４３０）、関連するＵＥに送信する参照信号を生成する（Ｓ４３５）。
【０１７８】
また、ＵＥは第１初期化値及び第２初期化値の中から選択された初期化値の情報に対する選択指示情報と、その選択指示情報によって生成された関連性のある参照信号と、の両方をｅＮｏｄｅＢ及び／又はＴＰから受信する（Ｓ４４０）。
【０１７９】
また、図４の方法は、オプションとしてステップＳ４１０及びステップＳ４１５をさらに含んでもよい。ステップＳ４１０では、ＴＰは、初期化値Ａ及び／又は初期化値Ｂを生成または変更するための初期化値生成情報を関連するＵＥに送信する。このような初期化値生成情報は、
0005992530.tif 000030
共通セルＩＤ、ＲＮＴＩ情報、個別に定義されるＵＥ固有情報、個別に定義されるＴＰ固有情報、及びＣＳＩ−ＲＳ関連パラメータのうち少なくとも１つを含んでもよい。しかしながら、本発明の一側面はそれに限定されるものではない。
【０１８０】
ＴＰがこのような初期化値生成情報をＵＥに送信するとき、ＲＲＣのような上位階層シグナリングが利用できる。しかしながら、本発明の一側面はそれに限定されるものではない。
【０１８１】
ＵＥは、ＴＰによって送信された初期化値生成情報を受信することができる（Ｓ４１５）。
【０１８２】
また、ＵＥは、初期化値Ａ及び／又は初期化値Ｂを生成または変更するために必要な初期化値生成情報のうち、ＲＮＴＩ情報、ＵＥが属するセルまたはポイントのセルＩＤ、ＣＳＩ−ＲＳ関連情報のうち少なくとも１つを知っていてもよい。その結果、ＴＰはこの初期化値生成情報を個別に端末に送信しなくてもよい。このような状況では、上記ステップＳ４１０、Ｓ４１５は省略されてもよい。
【０１８３】
初期化値生成情報のうち使用される情報の決定は、通信システムの環境によってなされる。通信システムの環境は、ＣｏＭＰシナリオタイプ、ＣｏＭＰ方式、及びＭＵ−ＭＩＭＯサポートするか否かの決定のうち少なくとも１つを含んでもよい。
【０１８４】
ＴＰから、同一の参照信号シーケンスの初期化値Ａまたは異なる参照信号シーケンスの初期化値Ｂの一方の選択指示情報を受信するＵＥは、ＵＥが受信している、又は既に知っている初期化値生成情報を用いた選択指示情報によって示された方式により参照信号を生成する（Ｓ４４５）。初期化値生成情報はＵＥによって予め受信されてもよい。
【０１８５】
また、ＵＥはステップＳ４４５で生成された参照信号とステップＳ４４０でＴＰから受信した参照信号とを比較してチャンネルを推定する（Ｓ４５０）。
【０１８６】
これで、ＣｏＭＰ及び／又はＭＵ−ＭＩＭＯなどをサポートする通信システムにおいて、ＴＰはＵＥに対して、ＵＥの環境による１つ以上のＵＥ又はＴＰと同一、類似、対応する又は異なる参照信号を送信し、ＵＥがチャンネルを推定することを可能にする。
【０１８７】
図５は、本発明の一実施形態によるＴＰによる参照信号送信方法のフローチャートである。
【０１８８】
図５において、参照信号を送信する主体はＴＰということができる。参照信号の生成に関連する指示情報を送信する主体は、ｅＮｏｄｅＢ及び／又はｅＮｏｄｅＢから上記指示情報を受信するＴＰということができる。したがって、ｅＮｏｄｅＢにおける方法及び置はＴＰにおける方法及び装置を区分することができる。しかしながら、ｅＮｏｄｅＢが１つのＴＰに該当することもあり得る。したがって、ｅＮｏｄｅＢにおける方法及び装置はＴＰの方法及び装置に組み込まれてもよい。
【０１８９】
１つ以上のＵＥに送信される参照信号を生成するときに、特定ＵＥの通信環境を考慮して、ＴＰは１つ以上のＵＥまたＴＰと同一な参照信号シーケンスの初期化値Ａ、及び各々のＵＥ又はＴＰと相異する参照信号シーケンスの初期化値Ｂのうち１つを選択し、関連する初期化値に基づいて参照信号シーケンスを生成する（Ｓ５１０）。
【０１９０】
また、ＴＰは第１初期化値及び第２初期化値のうち、選択された初期化値に対する情報である選択指示情報を生成してＤＣＩフォーマット形式などで端末に送信する（Ｓ５２０）。
【０１９１】
本発明の一実施形態での選択指示情報は、既存のＤＣＩフォーマット２Ｃに含まれる３ビットを有する１つ以上のアンテナポート、スクランブリング識別子、及びレイヤ個数（Antenna port(s)、scrambling identity and number of layers）の情報のうち少なくとも１つ、又は、新しく定義された４ビットの１つ以上のアンテナポート、スクランブリング識別子、及びレイヤ個数（Antenna port(s)、scrambling identity and number of layers）の情報のうち少なくとも１つによって暗示的（implicit）に示されてもよい。別の方法で、ＤＣＩフォーマットは、上記のようなＤＭ−ＲＳと関連した指示情報と共に個別に定義される１ビットの指示ビットを含み、該選択指示情報は１ビット指示ビットによって明示的（explicit）に示される。
【０１９２】
ステップＳ５３０において、ＴＰはステップＳ５２０で生成された参照信号シーケンスをＲＥにマッピングする。ステップＳ５４０において、ＴＰは参照信号を生成し、生成された参照信号を関連するＵＥに送信する。
【０１９３】
また、この方法は、上記ステップＳ５１０の実行の前に、ＴＰが第１初期化値または第２初期化値を生成または変更する初期化値生成情報を生成し、関連するＵＥに生成された初期化値生成情報を送信するステップ（Ｓ５０５）をさらに含んでもよい。この初期化値生成情報は
0005992530.tif 000031
共通セルＩＤ、ＲＮＴＩ情報、個別に定義されるＵＥ固有情報、個別に定義されるＴＰ固有情報、及びＣＳＩ−ＲＳ関連パラメータのうち少なくとも１つを含んでもよい。しかしながら、本発明の一側面はそれに限定されるものではない。
【０１９４】
ＴＰがこの初期化値生成情報をＵＥに送信するとき、ＲＲＣのような上位階層シグナリングが利用できる。しかしながら、本発明の一側面はそれに限定されるものではない。
【０１９５】
また、ＵＥは、初期化値Ａ及び／又は初期化値Ｂを生成または変更するために使用される初期化値生成情報のうち、ＲＮＴＩ情報、ＵＥが属するセルまたはポイントのセルＩＤ、ＣＳＩ−ＲＳ関連情報のうち少なくとも１つを知っている又は気づいていてもよい。したがって、ＴＰは初期化値生成情報をＵＥに個別に送信しなくてもよい。このような状況又は環境では、ステップＳ５０５は省略されてもよい。
【０１９６】
図６は、本発明の一実施形態に従う端末によるチャンネル推定方法のフローチャートである。
【０１９７】
ステップＳ６１０では、ＵＥはｅＮｏｄｅＢのようなＴＰによって送信される参照信号シーケンスの初期化値に対する選択指示情報を受信する（Ｓ６１０）。
【０１９８】
この選択指示情報は、ＴＰによって送信される参照信号に対するシーケンスの初期化値が１つ以上のＵＥまたはＴＰと同一な参照信号シーケンス初期化値Ａ、及び１つ以上のＵＥまたはＴＰと相異する参照信号シーケンスの初期化値Ｂのうちのいずれかを示す情報であってもよい。該選択指示情報は、ＤＣＩフォーマットで送信されてもよい。
【０１９９】
前述したように、選択指示情報はＤＣＩフォーマット２Ｃに含まれる３ビットを有する１つ以上のアンテナポート、スクランブリング識別子、及びレイヤ個数（Antenna port(s)、scrambling identity and number of layers）の情報のうち少なくとも１つ、又は、新しく定義された４ビットの１つ以上のアンテナポート、スクランブリング識別子、及びレイヤ個数（Antenna port(s)、scrambling identity and number of layers）の情報のうち少なくとも１つによって暗示的に示されてもよい。別の方法では、個別に１ビットの明示的な指示ビットを用いてさらに生成されてもよい。また、ＵＥはＴＰが上記選択指示情報に従って生成して送信する参照信号を受信する（Ｓ６２０）。
【０２００】
ステップＳ６３０では、ＵＥは参照信号シーケンスを生成するための初期化値生成情報を確認する。ステップＳ６４０では、ＵＥは確認された初期化値生成情報を用いて選択指示情報によって指示された方式により参照信号を生成する。
【０２０１】
ステップＳ６５０では、ＵＥはステップＳ６４０で生成された参照信号とステップＳ６２０でＴＰから受信した参照信号とを比較してチャンネルを推定する（Ｓ６５０）。
【０２０２】
また、ＵＥはＴＰから第１初期化値または第２初期化値を生成または変更するために使用される初期化値生成情報をＴＰからＲＲＣなどを介して受信するステップ（Ｓ６０５）をさらに含んでもよい。このような初期化値生成情報は、セルＩＤ、共通セルＩＤ、ＲＮＴＩ情報、個別に定義されるＵＥ固有情報、個別に定義されるＴＰ固有情報、及びＣＳＩ−ＲＳ関連パラメータのうち少なくとも１つを含んでもよい。しかしながら、本発明の一側面はそれに限定されるものではない。
【０２０３】
また、ＵＥは、第１初期化値または第２初期化値を生成または変更するために使用される初期化値生成情報のうち、ＲＮＴＩ情報、ＵＥが属するセルまたはポイントのセルＩＤ、ＣＳＩ−ＲＳ関連情報のうち少なくとも１つを知っている又は気づいていてもよい。したがって、ＴＰは初期化値生成情報をＵＥに個別に送信しなくてもよい。このような状況又は環境では、上記ステップＳ６０５は省略されてもよい。
【０２０４】
図７は、本発明の一実施形態による参照信号及び参照信号生成と関連した情報を生成及び送信する装置の内部構成図である。
【０２０５】
本実施形態による参照信号及び参照信号生成と関連した情報の生成及び送信する装置はｅＮｏｄｅＢ及び／又はＴＰの範囲内またはその一部として具現できる。しかしながら、本発明の一側面はそれに限定されるものではない。
【０２０６】
本発明による参照信号及び参照信号生成と関連した情報を生成及び送信する装置７００は、参照信号シーケンスの初期化値に対する選択指示情報を生成する選択指示情報生成部７１０と、決定された方式によりダウンリンク参照信号を生成する参照信号生成部７２０と、選択指示情報及び生成された参照信号のうち少なくとも１つをＵＥに送信する送信部７３０とを含む。選択的に、装置７００は参照信号シーケンスの初期化値を変更または生成するために使用される初期化値生成情報を生成し、１つ以上のＵＥに送信する初期化値生成情報処理部７４０をさらに含むことができる。
【０２０７】
選択指示情報生成部７１０は、１つ以上のＵＥに送信する参照信号を生成するとき、特定ＵＥの通信環境を考慮して、各々のＵＥまたはＴＰに同一、類似、又は対応する参照信号シーケンスの初期化値Ａ（または、第１初期化値）、及び各々のＵＥまたはＴＰ、又は１つ以上のＵＥまたはＴＰに対して異なる参照信号シーケンスの初期化値Ｂ（または、第２初期化値）の１つを示す選択指示情報を生成する。
【０２０８】
選択指示情報は、＜数式２＞、＜数式３＞、＜数式４＞、＜数式５＞、＜数式６＞、＜数式７＞、及び＜数式８＞と関連して前述したように、ＤＣＩフォーマット２Ｃに含まれる３ビットを有する１つ以上のアンテナポート、スクランブリング識別子、及びレイヤ個数（Antenna port(s)、scrambling identity and number of layers）の情報のうち少なくとも１つ、又は、新しく定義された４ビットの１つ以上のアンテナポート、スクランブリング識別子、及びレイヤ個数（Antenna port(s)、scrambling identity and number of layers）の情報のうち少なくとも１つによって暗示的に示されてもよい。別の方法で、ＤＣＩフォーマットは、個別に１ビットの指示ビットを含んで明示的に示されてもよい。
【０２０９】
このように生成された選択指示情報は、送信部７３０によってＤＣＩフォーマットなどでＵＥに送信できる。
【０２１０】
参照信号生成部７２０は、ＵＥに送信された選択指示情報に一致する又は対応する方式によりダウンリンク参照信号を生成する。また、ＵＥまたはＴＰに対して同一、類似、対応する、又は異なる初期化値Ａまたは初期化値Ｂが生成されてもよい。
【０２１１】
また、初期化値生成情報処理部７４０は、第１初期化値または第２初期化値を生成または変更するために使用され、セルＩＤ、共通セルＩＤ、ＲＮＴＩ情報、個別に定義されるＵＥ固有情報、個別に定義されるＴＰ固有情報、及びＣＳＩ−ＲＳ関連パラメータのうち少なくとも１つを含む初期化値生成情報を生成してもよい。また、初期化値生成情報処理部７４０は、生成された初期化値生成情報を送信部を使用してＲＲＣシグナリングを介してＵＥに送信してもよい。
【０２１２】
図８は、本発明の一実施形態に従うチャンネル推定装置の内部構成図である。
【０２１３】
本実施形態によるチャンネルを推定する装置は、ＵＥの内部またはＵＥの一部として具現できる。しかしながら、本発明の一側面はそれに限定されるものではない。
【０２１４】
本発明の一実施形態によるチャンネル推定装置８００は、ＴＰから参照信号を受信する参照信号受信部８１０、ＴＰから参照信号の初期化値に対する情報である選択指示情報を受信する選択指示情報受信部８２０、参照信号生成に使われる初期化値を生成または変更するために使用される初期化値生成情報を確認する初期化値生成情報確認部８３０、受信した選択指示情報と確認された初期化値生成情報に基づいて参照信号を生成する参照信号生成部８４０、及び生成された参照信号と受信した参照信号とを比較してチャンネル状態を推定するチャンネル推定部８５０を含むことができる。また、選択的に、装置８００は参照信号シーケンスの初期化値を変更または生成するために使用される初期化値生成情報をＴＰから受信する初期化値生成情報受信部８６０をさらに含んでもよい。
【０２１５】
参照信号受信部８１０は、ＴＰによって送信される参照信号を受信してもよい。また、受信された参照信号は選択指示情報によって生成され、送信される参照信号であってもよい。選択指示情報はＴＰによって送信される参照信号のシーケンス初期化値が参照信号シーケンスの初期化値Ａ（または、第１初期化値）又は参照信号シーケンスの初期化値Ｂ（または、第２初期化値）であることを示す情報である。
【０２１６】
この選択指示情報はＵＥによって明示的または暗示的に知ることができる情報であってもよい。ＴＰが上記＜数式２＞、＜数式３＞、＜数式４＞、＜数式５＞、＜数式６＞、＜数式７＞、及び＜数式８＞に示す方式によって選択指示情報を生成してもよい。また、ＴＰは生成された選択指示情報をＵＥに送信してもよい。また、上記選択指示情報受信部８２０が選択指示情報を受信してもよい。
【０２１７】
初期化値生成情報確認部８３０は、ＵＥが参照信号を生成するときに使われる初期化値を生成または変更するために使用される初期化値生成情報を確認してもよい。初期化値生成情報は、ＵＥが属するセルまたはポイントのセルＩＤ、共通セルＩＤ、ＲＮＴＩ情報、個別に定義されるＵＥ固有情報、個別に定義されるＴＰ固有情報、及びＣＳＩ−ＲＳ関連パラメータのうち少なくとも１つを含んでもよい。しかしながら、本発明の一側面はそれに限定されるものではない。また、ＵＥが初期化値生成情報を知っている又は気づいていてもよい。しかしながら、環境によって、初期化値生成情報受信部８６０がＴＰから初期化値生成情報を受信し、ＵＥがそれを検出してもよい。
【０２１８】
参照信号生成部８４０は、確認または受信された初期化値生成情報を用いて受信した選択指示情報に一致又は対応する方式により参照信号を生成してもよい。
【０２１９】
チャンネル推定部８５０は、参照信号生成部８４０で生成された参照信号を参照信号受信部８１０で受信した参照信号と比較して、その結果としてチャンネル状態を推定してもよい。
【０２２０】
以上のような本発明の一実施形態を利用すれば、ＣｏＭＰ及び／又はＭＵ−ＭＩＭＯなどをサポートする通信システムにおいて、１つ以上のＵＥに送信されるダウンリンク参照信号を生成するとき、各ＵＥの環境に従って各々のＵＥまたはＴＰに対して同一な参照信号シーケンスの初期化値Ａ、または各々のＵＥまたはＴＰに対して異なる参照信号シーケンスの初期化値Ｂが選択され、参照信号が選択初期化値に基づいて生成されてもよい。したがって、本発明の一側面は、１つ以上のＵＥがチャンネルを推定することを許可してもよい。
【０２２１】
また、参照信号初期化値Ａまたは参照信号初期化値Ｂの種類（type）を動的に１つ以上のＵＥに示してもよい。したがって、本発明の実施形態はＣｏＭＰやＭＩＭＯの通信環境において、ダウンリンク参照信号の直交性及び／又は疑似直交性を維持または向上させることができる効果がある。
【０２２２】
以上、本発明の実施形態による装置の構成が１つのユニットに結合されるか、１つのユニットとして動作するために結合されるが、本発明の一側面はそれに限定されるものではない。例えば、構成要素の中の１つ以上の構成要素は、１つ以上のユニットとして動作するために選択的に結合されてもよい。また、１つ以上の構成要素がハードウェアとは独立して具現されてもよいが、各構成要素の一部または全部が互いに選択的に組み合わせられて、１つ又はそれ以上のハードウェアに組み合わせられた一部または全部の動作を実行する１つ以上のプログラムモジュールを有するコンピュータプログラムとして具現されてもよい。そのコンピュータプログラムを構成するコード及びコードセグメントは本発明の関連する技術分野の当業者により推論できる。このようなコンピュータプログラムは、コンピュータで読み取り可能な記録媒体に格納されてコンピュータにより読取及び実行されることによって、本発明の実施形態を具現することができる。コンピュータプログラムの記録媒体としては、磁気記録媒体、光記録媒体、キャリアウェーブ媒体などが含まれることができる。
【０２２３】
当該技術分野の熟練した当業者は、下記の特許請求の範囲に記載された本発明の思想及び領域から逸脱しない範囲内で、本発明を多様に修正及び変更させ得ることを理解しなければならない。したがって、本発明は、特許請求の範囲内に属する全ての交替、修正、及び変更を含む。
【図１】
0005992530.tif 000032
【図２】
0005992530.tif 000033
【図３】
0005992530.tif 000034
【図４】
0005992530.tif 000035
【図５】
0005992530.tif 000036
【図６】
0005992530.tif 000037
【図７】
0005992530.tif 000038
【図８】
0005992530.tif 000039